(57)【要約】【課題】間仕切り１に前後方向または左右方向に移動自在なパネル体２、３が設けられたものにおいて、該パネル体２、３の表面板１２、１７の端縁部が隣接パネル体側の部材にオーバーラップするものとした場合において、該表面板端縁部に設けられる折曲片部１２ｂ、１７ｂを補助部材１９で保護する。【解決手段】補助部材１９に、折曲片部１２ｂ、１７ｂの先端縁を覆う覆い部１９ｄを形成し、パネル体２、３が開放移動して折曲片部１２ｂ、１７ｂが露出したとしても、覆い部１９ｄで覆って保護するようにする。【選択図】図４
2020033827.tif 000002
【特許請求の範囲】
【請求項１】
室内空間を前後に仕切るため設けられる複数のパネル体のうちの少なくとも一枚を移動自在に構成し、
該移動自在なパネル体に設けられる表面板の端縁部に、該パネル体に隣接する隣接部材に対して前後方向からオーバーラップするよう延長される延長面部が設けられ、該延長面部の先端部に、隣接部材のオーバーラップ部位側に向けてＬ字形に折曲されていてオーバーラップ部位側に向けて起立する折曲片部が形成され、該延長面部と折曲片部とのあいだの折曲コーナー部の内側に補助部材が取付けられた間仕切りにおいて、
前記補助部材は、折曲片部の先端縁よりも隣接部材オーバーラップ部位側に向けて高くなるよう延出した延出部を備え、該延出部に、折曲片部の先端縁を覆う覆い部が設けられていることを特徴とする間仕切りにおけるパネル体の端縁部構造。
【請求項２】
延出部は、補助部材のオーバーラップ部位に対向する面部全体が延出することで形成され、覆い部は、延出部から折曲片部の先端縁を覆うように突出形成されていることを特徴とする請求項１記載の間仕切りにおけるパネル体の端縁部構造。
【請求項３】
補助部材は、折曲片部の起立方向において延長面部側が不透明、覆い部側が透明の素材で形成されていることを特徴とする請求項１または２記載の間仕切りにおけるパネル体の端縁部構造。
【請求項４】
補助部材は、不透明素材と透明素材との境界が折曲片部の先端縁を越えない延長面部側の位置に設定されていることを特徴とする請求項３記載の間仕切りにおけるパネル体の端縁部構造。
【請求項５】
間仕切りは、前後方向に開閉移動自在な開き戸用パネル体と、左右方向にスライド移動自在なスライドパネル体との少なくとも一方を備えて構成され、補助部材は、これら移動自在なパネル体の戸先側端縁部に設けられることを特徴とする請求項１乃至４の何れか１記載の間仕切りにおけるパネル体の端縁部構造。
【発明の詳細な説明】
【技術分野】
【０００１】
本発明は、建造物に設けられる室内空間を仕切るため建て付けられる間仕切りにおけるパネル体の端縁部構造の技術分野に関するものである。
【背景技術】
【０００２】
今日、ビル等の建造物に設けられる室内空間を、間仕切りを用いて前後（若しくは左右）に仕切る（区画する）ことがあり、このような間仕切りのなかには、間仕切りの構成部材である複数のパネル体の一部または全部を前後方向または左右方向に開閉自在にする等した可動式のものがある。そしてパネル体を、このように可動式にした場合、パネル体の左右方向端縁部は、隣接するパネル体の対向する端縁部（または躯体に設けた縦枠）に対して前後方向からオーバーラップする状態で設け、これによって隣接するパネル体間の対向間隙を通して向こう側が視認されないように対処している。このためこのようなパネル体の端縁部は、パネル体表面板がオーバーラップ部位まで長く延出した構造になっている。この場合に、表面板のオーバーラップ部位を、パネル体の本体部分から平板状のまま延長し、その延長端縁を単に切断しただけの状態であると、切断端がパネル体表面位置に位置することになって外部から直接露出し、視認される状態になって外観上好ましくないだけでなく、切断端に指等が引っ掛かってしまう等の惧れがある。
そこで表面板の切断端縁部をＬ字形に折曲し、これにより表面板の切断端縁をパネル体表面位置に対して前後方向（パネル体の厚さ方向）内側に位置させる構成にして、切断端縁を視認しづらくすると共に、指等の引っ掛かりを回避する構成にすることが提唱されるが、このようにしたとして、パネル体を開放移動したときには、表面板の切断端縁が折曲端縁部位に位置して直接露出した構成になり、依然として前記問題が残ることになる。
これに対処するため、表面板の切断端縁部を凵字形（またはＵ字形）に折返し折曲する構成にし、これによって表面板の切断端縁が、パネル体が閉鎖した状態では外部に直接露出しないようにすることが提唱されている（例えば特許文献１参照。）。しかしながらこのものでは、表面板の切断端縁部を凵字形に折返し折曲するための加工が面倒かつ煩雑であるという問題がある。
これに対し、前記Ｌ字形に折曲した端縁部の折曲内側に中空状のゴム材を取り付けるようにし、これによって切断端に指等が引っ掛かったりすることを回避する構成にしたものが提唱されている（例えば特許文献２、３参照。）。
【先行技術文献】
【特許文献】
【０００３】
【特許文献１】特開平７−２３３５７７号公報
【特許文献２】特開２０００−２４８８１８号公報
【特許文献３】特開２０１０−２７５８０４号公報
【発明の概要】
【発明が解決しようとする課題】
【０００４】
ところが前記従来のゴム材を取り付けたものは、表面板の切断端の内側（左右方向内側）にゴム材が設けられるものであるため、表面板の切断端縁がゴム材に外側端面に対して当接する突出状態で設けられるものであるため、依然として直接露出する状態であることには変わりなく、外観性が損なわれるだけでなく、切断端縁にバリが出ていたような場合の問題も想定され、これらに本発明の解決すべき課題がある。
【課題を解決するための手段】
【０００５】
本発明は、上記の如き実情に鑑みこれらの課題を解決することを目的として創作されたものであって、請求項１の発明は、室内空間を前後に仕切るため設けられる複数のパネル体のうちの少なくとも一枚を移動自在に構成し、該移動自在なパネル体に設けられる表面板の端縁部に、該パネル体に隣接する隣接部材に対して前後方向からオーバーラップするよう延長される延長面部が設けられ、該延長面部の先端部に、隣接部材のオーバーラップ部位側に向けてＬ字形に折曲されていてオーバーラップ部位側に向けて起立する折曲片部が形成され、該延長面部と折曲片部とのあいだの折曲コーナー部の内側に補助部材が取付けられた間仕切りにおいて、前記補助部材は、折曲片部の先端縁よりも隣接部材オーバーラップ部位側に向けて高くなるよう延出した延出部を備え、該延出部に、折曲片部の先端縁を覆う覆い部が設けられていることを特徴とする間仕切りにおけるパネル体の端縁部構造である。
請求項２の発明は、延出部は、補助部材のオーバーラップ部位に対向する面部全体が延出することで形成され、覆い部は、延出部から折曲片部の先端縁を覆うように突出形成されていることを特徴とする請求項１記載の間仕切りにおけるパネル体の端縁部構造である。
請求項３の発明は、補助部材は、折曲片部の起立方向において延長面部側が不透明、覆い部側が透明の素材で形成されていることを特徴とする請求項１または２記載の間仕切りにおけるパネル体の端縁部構造である。
請求項４の発明は、補助部材は、不透明素材と透明素材との境界が折曲片部の先端縁を越えない延長面部側の位置に設定されていることを特徴とする請求項３記載の間仕切りにおけるパネル体の端縁部構造である。
請求項５の発明は、間仕切りは、前後方向に開閉移動自在な開き戸用パネル体と、左右方向にスライド移動自在なスライドパネル体との少なくとも一方を備えて構成され、補助部材は、これら移動自在なパネル体の戸先側端縁部に設けられることを特徴とする請求項１乃至４の何れか１記載の間仕切りにおけるパネル体の端縁部構造である。
【発明の効果】
【０００６】
請求項１の発明とすることにより、隣接するパネル体の表面板に延長面部を設けてオーバーラップするようにしたものにおいて、延長面部の先端部に折曲片部を形成し、該延長面部と折曲片部とのコーナー部に補助部材を設けたものでありながら、該補助部材に、折曲片部の先端縁を覆う覆い部が形成されていて、折曲片部の先端縁が覆い部によって覆った状態となり、このため外観性が損なわれることが回避されるだけでなく、切断端縁にバリが出ていたような場合において折曲片部の先端の直接的な露出を回避して指等が接触してしまうようなことを防止することができる。
請求項２の発明とすることにより、補助部材のオーバーラップ部位に対向する面部全体が延出し、しかも覆い部は、延長面部から折曲片部の先端縁を覆うように突出形成されたことになる結果、覆い部は、折曲片部の先端縁全体を覆うことになって、折曲片部の先端の直接的な露出を回避して指等が接触してしまうようなことをより確実に防止することができる。
請求項３の発明とすることにより、補助部材は、折曲片部の起立方向において延長面部側が不透明、覆い部側が透明の素材で形成されているため、補助部材を視認したときに、表面板の延長面部側は不透明素材によって目隠しされる一方で、折曲片部の先端縁部位は透明素材を通して視認できることになって、表面板の色に対して目立たないものにできる。
請求項４の発明の発明とすることにより、補助部材が、不透明素材と透明素材との境界が折曲片部の先端縁を越えない延長面部側の位置に設定したものとなって、補助部材を視認したときに、境界を折曲片部の先端縁を越えたものとした場合のように折曲片部の向こう側に不透明部材が異物のように視認されてしまうことが回避される。
請求項５の発明とすることにより、補助部材が、間仕切りとして用いられる前後方向に開閉移動自在、もしくは左右方向にスライド移動自在なパネル体の端縁部に設けられたものになるため、パネル体が移動して折曲片部が直接露出するようになったとしても、補助部材による覆い機能が発揮されることになって開放移動したときに露出する折曲片部の先端の直接的な露出を回避して指等が接触してしまうようなことを防止することができる。
【図面の簡単な説明】
【０００７】
【図１】（Ａ）（Ｂ）は間仕切りの正面図、平面図である。
【図２】間仕切りの横断面図である。
【図３】縦枠と開き戸用パネル体との対向部位の横断面図である。
【図４】開き戸用パネル体とスライドパネル体との対向部位の横断面図である。
【図５】スライドパネル体同士の対向部位の横断面図である。
【図６】（Ａ）（Ｂ）（Ｃ）（Ｄ）は補助部材の正面図、平面図、背面図、補助部材の取付け部位の平面図である。
【発明を実施するための形態】
【０００８】
以下、本発明の実施の形態について、図面に基づいて説明する。図面において、１は室内空間を前後に仕切るため設けられる間仕切りであって、該間仕切り１は、左右方向に都合四枚のパネル体２、３を一連状に連結することで一枚板状に構成されるものであるが、左右両端側の二枚のパネル体２は、躯体側に建て付けられる縦枠４に対して蝶番５を介して前後方向開閉自在に構成された開き戸タイプのものであって、本実施の形態ではこれを第一パネル体２と称し、左右中央側の二枚のパネル体３は、例えば天井吊り構造になっていて、前記第一パネル体２が開放した状態で左右方向に移動可能（左右方向に移動した過程で、さらに開放した第一パネル体２に積層するよう開き移動する構成にできるが、これらの構成は何れも公知であって、その詳細については省略する。）となった可動タイプのものであって、本実施の形態ではこれを第二パネル体３と称することにする。
尚、前後左右の方向は方向性を関連付けるためにした便宜上の記載であって、本発明はこれに限定されないものであることは勿論である。
【０００９】
そして第一パネル体２は、戸先側端部の表面（前面、正面）側面部に錠体６が突出状に設けられるが、該錠体６は、図示しない操作冶具（例えばＬ字形に折曲した六角棒）を挿入した状態で回転（回動）操作およびパネル体２の引き操作（開放操作）できるようになっており、そして錠体６を回動操作をすることにより、錠体６に一体的に設けられた係止体７が回動することになって、該係止体７が第二パネル体３に設けた受け体８に当接して開放規制される位置と、当接回避されて開放操作できる位置とに移動することになり、これによってパネル体２の施錠、解錠ができるようになっている。
また第二パネル体３の戸尻側端部の背面（後面）側面部に操作具９が設けられているが、該操作具９を操作することで、操作具９に連動する移動規制体が床面（若しくは天井面、あるいは両面）に離接する等して干渉することになり、これによって第二パネル体３の開閉移動の規制、許容の切換えができるようになっている。
【００１０】
前記第一パネル体２の構成部材である左右（戸尻側、戸先側）の縦框（縦フレーム材）１０、１１は、表面側（前面側）面部１０ａ、１１ａが左右方向外側に延出した延長部１０ｂ、１１ｂを有し、表面板（前面板）１２は、該延長部１０ｂ、１１ｂの端縁にまで至るよう延長面部１２ａが形成され、該延長面部１２ａの縦框表面側面部１０ａ、１１ａの延長端縁にまで至ったたものが、後側（背面側）に向けてＬ字形に折曲される折曲片部１２ｂが設けられたものとなっている。
一方、前記第一パネル体２の縦框１０、１１の背面側面部１０ｃ、１１ｃは、表面側面部１０ａ、１１ａのように延長部１０ｂ、１１ｂがないものとなっており、背面板（後面板）１３は、縦框１０、１１の背面側面部１０ｃ、１１ｃの端縁コーナー部に至ったものが、前側（表面側）に向けてＬ字形に折曲される折曲片部１３ａが設けられたものとなっている。
そして蝶番５は、一半部５ａが縦枠４に固定され、他半部５ｂが背面側面部１０ｃに固定されるようになっており、錠体６は戸先側縦框１１に設けられている。
【００１１】
また、第二パネル体３の構成部材である左右（戸尻側、戸先側）の縦框のうち、第一パネル体２に隣接する側（戸尻側）の縦框１４については、第一パネル体２の戸先側縦框延長部１１ｂに対して間隙Ｘを存する状態で左右方向に近接対向するよう表面側面部１４ａから延出された第一延長部１４ｂが形成されている。また、該縦框１４の背面側面部１４ｃの先端縁から折曲状に続く見込み面部（該見込み面部については、本実施の形態では背面側面部１４ｃとは別体のものとして設けられているが、一体であってもよい。）１４ｄは、表面側面部１４ａに至る（当接する）前の離間した位置において隣接する第一パネル体２側に向けて折曲されており、これによって第二延長部１４ｅが形成されるが、該第二延長部１４ｅは、第一延長部１４ｂおよび第一パネル体２側の縦框延長部１１ｂに対して背面側に離間する状態（平行状態）で、第一パネル体側縦框延長部１１ｂの左右方向中間部にまで至ったものが、さらに背面側に折曲されて延長見込み部１４ｆが形成され、さらのこの延長見込み部1４ｆの背面側端縁から第二パネル体３側に折曲されて背面側延長面部１４ｇが形成されたものとなっている。そして隣接する第一、第二パネル体２、３同士が間仕切りとして何れも閉鎖している状態では、左右に幅広な第二延長部１４ｅに対して、互いに対向する縦框１１、１４の延長部１１ｂ、１４ｂが前後方向にオーバーラップ（積層）する所謂相决り構造となっていて、間仕切り１を介して前後方向の視認ができないようになっている。尚、延長見込み部１４ｆに前記ラッチ受け８が取付けられた構成になっている。
【００１２】
これに対し、第二パネル体３の戸先側端縁部は、隣接する第二パネル体３の端縁部同士が対向することになり、このため本実施の形態では、一方の第二パネル体３の戸先側縦框１５については、前記戸尻側縦框１４と同様、表面側面部１５ａ、第一延長部１５ｂ、背面側面部１５ｃ、見込み面部（該見込み面部についても、本実施の形態では背面側面部１５ｃとは別体のものとして設けられているが、一体であってもよい。）１５ｄ、第二延長部１５ｅ、延長見込み部１５ｆ、背面側延長面部１５ｇを有したもので形成されるのに対し、他方の第二パネル体３の戸先側縦框１６については、表面側面部１６ａに第一延長部１６ｂが設けられただけのものとなっており、このようにして前記相决り構造が構成されている。尚、１６ｃは戸先側縦框１６の背面側面である。
【００１３】
さらに第二パネル体３に設けられる表面板１７は、左右縦框１４、１５または１６の表面側面部１４ａ、１５ａまたは１６ａに設けられる延長部１４ｂ、１５ｂまたは１６ｂの端縁にまで至るよう延長面部１７ａが形成され、該延長面部１７ａの縦框延長部１４ｂ、１５ｂまたは１６ｂの延長端縁にまで至ったものが、後側（背面側）に向けてＬ字形に折曲される折曲片部１７ｂが設けられたものとなっている。
一方、第二パネル体３に設けられる背面板１８は、同様にして縦框１４、１５または１６の背面側面部１４ｃ、１５ｃまたは１６ｃの端縁コーナー部に至ったものが、前側（表面側）に向けてＬ字形に折曲される折曲片部１８ａが設けられたものとなっている。
【００１４】
１９は本発明を実施するための補助部材であって、該補助部材１９は、前記縦框の相决り構造を構成する部位に何れも同様の状態で取付けられるものであり、前記オーバーラップ部位において、表面板１２、１７の延長面部１２ａ、１７ａと折曲片部１２ｂ、１７ｂとのコーナー部の内側（背面側、裏面側）に取付けられるものであって、該補助部材１９は、延長面部１２ａ、１７ａへ取付けるにあたり、本実施の形態では縦框延出部１０ｂ、１１ｂ、１４ｂ、１５ｂ、１６ｂを介在する状態で取付けられることになる（本発明においては、縦框に延出部がないものにおいても実施でき、その場合には、延長面部１２ａ、１７ａに直接取り付けることになる。）が、その取付け面への取付け手法として、両面粘着テープで構成される止着材（接着剤（接着材）を採用してもよい。さらに補助部材１９を止着する（取付ける）手段としては、粘着や接着に限定されず、機械的に無理嵌め嵌合するもの、係脱自在に係合するもの等、適宜のものを採用することができる。）１９ａが設けられていて、前記延長面部１２ａ、１７ａに止着する状態で取付けできるようになっているが、該取付けられた補助部材１９は、折曲片部１２ｂ、１７ｂに沿う（対向する）縦面部１９ｂが設けられ、折曲片部１２ｂ、１７ｂよりも高くなるようオーバーラップ部位側（背面側）に向けて延出した延出部１９ｃを備えているが、該延出部１９ｃには、折曲片部１２ｂ、１７ｂの先端部を覆うべく左右方向に突出した覆い部１９ｄが設けられている。
さらに本実施の補助部材１９は、折曲片部１２ｂ、１７ｂの起立方向において、表面板１２、１７の延長面部１２ａ、１７ａ側が不透明の素材１９ｅ、覆い部１９ｄ側が透明の素材１９ｆで形成された所謂二色（二材）成形品となっているが、その不透明素材１９ｅ、透明素材１９ｆの境界Ｙは、折曲片部１２ｂ、１７ｂを越えない位置、つまり折曲片部１２ｂ、１７ｂの先端縁よりも延長面部１２ａ、１７ａ側位置となっている。
因みに補助部材１９は、パネル体２、３の全高さ方向に亘って長尺状のものとして設けられるが、例えば蝶番５のような部材が途中に設けられている場合には、該部材を避ける（部材部分が切欠かれる）ようにして設けられる構成にし、これによって折曲片部１２ｂ、１７ｂの露出が無いように配慮されている。
【００１５】
叙述の如く構成された本実施の形態において、室内空間を前後に仕切る間仕切り１において、該間仕切り１を構成するパネル体２、３が開閉移動自在である場合、該移動自在なパネル体２、３に設けられる表面板１２、１７の端縁部に、隣接するパネル体２、３の隣接部材である第二延長部１４ｅ、１５ｅに対して前後方向からオーバーラップするよう延長される延長面部１２ａ、１７ａが設けられ、そして該延長面部１２ａ、１７ａの先端部には、前記第二延長部１４ｅ、１５ｅのオーバーラップ部位側に向けてＬ字形に折曲されていて該オーバーラップ部位側に向けて起立する折曲片部１２ｂ、１７ｂが形成され、該延長面部１２ａ、１７ａと折曲片部１２ｂ、１７ｂとのあいだのコーナー部の内側に、縦框延出部１０ｂ、１１ｂ、１４ｂ、１５ｂ、１６ｂを介する状態ではあるが、補助部材１９が取付けられている。そしてこの場合の補助部材１９は、折曲片部１２ｂ、１７ｂの先端縁よりもオーバーラップ部位側に向けて高くなるよう延出した延出部１９ｃを備え、該延出部１９ｃに、折曲片部１２ｂ、１７ｂの先端縁を覆う覆い部１９ｄが設けられている結果、隣接するパネル体２、３同士の表面板１２、１７または１７、１７に延長面部１２ａ、１７ａを設けて隣接パネル体側にオーバーラップするようにしたものにおいて、延長面部１２ａ、１７ａの先端部に折曲片部１２ｂ、１７ｂを形成し、該延長面部１２ａ、１７ａと折曲片部１２ｂ、１７ｂとのコーナー部に補助部材１９を設けたものでありながら、該補助部材１９には折曲片部１２ｂ、１７ｂの先端縁を覆う覆い部１９ｄが形成され、該覆い部１９ｄによって折曲片部１２ｂ、１７ｂの先端縁を覆った状態となり、このため外観性が損なわれることが回避されるだけでなく、折曲片部１２ｂ、１７ｂの切断端縁にバリが出ていたような場合においての保護を図ることができる。
【００１６】
しかもこの場合に、延出部１９ｃは、補助部材１９のオーバーラップ部位に対向する面部全体が延出するようにして形成され、覆い部１９ｄは、延出部１９ｃから折曲片部１２ｂ、１７ｂの先端縁を覆うように左右方向に突出形成されているため、覆い部１９ｄにより、折曲片部１２ｂ、１７ｂの先端縁全体を包むように覆うことになって、折曲片部１２ｂ、１７ｂの先端部を確実に覆うことができて指等が触れてしまうことをより確実に回避することができる。
【００１７】
そしてこのものにおいて、補助部材１９は、折曲片部１２ｂ、１７ｂの起立方向において延長面部１２ａ、１７ａ側が不透明素材１９ｅ、覆い部１９ｄ側が透明素材１９ｆで形成されているため、補助部材１９を視認したときに、表面板１２、１７の延長面部１２ａ、１７ａ側は不透明素材１９ｅによって目隠しされることになって止着材１９ａが補助部材１９を通して視認されるようなことが回避される一方で、折曲片部１２ｂ、１７ｂの先端縁部位は透明素材１９ｆを通して視認できることになって違和感のないものにできる。
またさらにこの場合に、補助部材１９は、不透明素材１９ｅと透明素材１９ｆとの境界Ｙが折曲片部の先端縁を越えない延長面部側の位置に設定されているため、折曲片部１２ｂ、１７ｂ側から視認したときに、境界Ｙを折曲片部１２ｂ、１７ｂの先端縁を越えたものとした場合のように折曲片部１２ｂ、１７ｂの向こう側に不透明部材１９ｅが異物のように視認されてしまうことが回避される。
【００１８】
またこのものでは、間仕切り１として、前後方向に開閉自在な開き戸用パネル体２と、左右方向にスライド移動自在なスライドパネル体３とを備えたものとして構成し、前記補助部材１９を、これらパネル体２、３の端縁部に設けられたものになるため、パネル体２、３が開放移動して折曲片部１２ｂ、１７ｂが直接露出するようになったとしても、補助部材１９による折曲片部１２ｂ、１７ｂの覆い機能が発揮されることになって開放移動したときに露出する折曲片部１２ｂ、１７ｂの保護が図れることになる。
【００１９】
尚、本発明は前記実施の形態に限定されないものであることは勿論であって、補助部材としては、左右両側に延出部が形成されることで、左右に方向性がないものとして使用できるため都合が良いが、これに限定される必要はなく、一方側に形成されたものであってもよいことは勿論である。
さらに前記本実施の形態では、補助部材を、オーバーラップ部位と一体になっていて、移動しても離間することがない部位にも設けたものとしているが、該部位には必ずしも設ける必要はなく、必要において設けることができるものである。
【産業上の利用可能性】
【００２０】
本発明は、建造物に設けられる室内空間を仕切るため建て付けられる間仕切りにおけるパネル体の端縁部構造として利用することができる。
【符号の説明】
【００２１】
１  間仕切り
２  第一パネル体
３  第二パネル体
１２  表面板
１２ａ  延長面部
１２ｂ  折曲片部
１７  表面板
１７ａ  延長面部
１７ｂ  折曲片部
１９  補助部材
１９ｃ  延出部
１９ｄ  覆い部
１９ｅ  不透明素材
１９ｆ  透明素材
Ｙ  境界
【図１】
2020033827.tif 000003
【図２】
2020033827.tif 000004
【図３】
2020033827.tif 000005
【図４】
2020033827.tif 000006
【図５】
2020033827.tif 000007
【図６】
2020033827.tif 000008